(57)【要約】      （修正有）【課題】血糖値センサなどの吸湿を嫌う板状製品を収容するための容器で、その取り出しを容易に行い、乾燥持続性に優れ、長期間の吸湿を有効に防止し、多数枚の板状製品を吸湿による性能低下を防止するための容器を提供する。【解決手段】互いに同じ大きさを有する複数枚の板状製品５０が収容される筒状空間が形成されている筒状体１と蓋体３とを備えた板状製品収容用容器において、筒状空間は中央部分で仕切壁５によって第１の収容空間Ａと第２の収容空間Ｂとに仕切られ、第１の収容空間Ａと第２の収容空間Ｂのそれぞれに複数の板状製品５０が収容され、蓋体３は筒状体１の両端部のそれぞれに設けられ、蓋体３が第１の収容空間Ａ或いは第２の収容空間Ｂを閉じるように構成されていると共に、仕切壁５の第１の収容空間Ａ側の面５ａ及び第２の収容空間Ｂ側の面５ｂは、それぞれ乾燥剤含有樹脂による吸湿面となっている。【選択図】図１
2010173675.tif 000002
【特許請求の範囲】
【請求項１】
互いに同じ大きさを有する複数枚の板状製品が収容される筒状空間が形成されている筒状体と、該筒状空間を閉じるように設けられている蓋体とを備えた板状製品収容用容器において、
前記筒状空間は、その長手方向中央部分で仕切壁によって第１の収容空間と第２の収容空間とに仕切られており、第１の収容空間と第２の収容空間のそれぞれに前記複数の板状製品が収容され、
前記蓋体は、前記筒状体の両端部のそれぞれに設けられ、該蓋体のそれぞれが第１の収容空間或いは第２の収容空間を閉じるように構成されていると共に、
前記仕切壁の第１の収容空間側に位置する面及び第２の収容空間側に位置する面は、それぞれ、乾燥剤が分散されている樹脂により形成されている第１の吸湿面或いは第２の吸湿面となっていることを特徴とする二室型板状製品収容容器。
【請求項２】
前記第１の吸湿面或いは第２の吸湿面は、それぞれ傾斜し且つ互いに平行に延びている傾斜面となっており、複数枚の板状製品は、その一方側の端部が、それぞれ該筒状体から突出するように第１の収容空間或いは第２の収容空間に収容され、該筒状体から突出した複数の板状製品の端部が、第１の吸湿面或いは第２の吸湿面と平行な傾斜面を形成している請求項１に記載の二室型板状製品収容用容器。
【請求項３】
前記仕切壁は、乾燥剤が分散された樹脂組成物から形成されている請求項１に記載の二室型板状製品収容用容器。
【請求項４】
前記仕切壁は、乾燥剤が分散されておらず且つ傾斜して延びている中心壁と、該中心壁の両面に形成され且つ乾燥剤が分散された樹脂組成物からなる吸湿層とから形成されている請求項１に記載の二室型板状製品収容用容器。
【請求項５】
前記蓋体のそれぞれが、筒状体の端部とヒンジ連結されており、該ヒンジ連結されている部分が、それぞれ、仕切壁に近い側に位置している請求項１乃至４の何れかに記載の二室型板状製品収容容器。
【発明の詳細な説明】
【技術分野】
【０００１】
本発明は、血糖値センサや尿試験紙などの板状製品を収容する容器に関するものであり、より詳細には、板状製品の吸湿を防ぐ乾燥性を有し、板状製品を収容する空間を２つ有する二室型の板状製品収容容器に関するものである。
【背景技術】
【０００２】
従来、血糖値センサや尿試験紙などの板状の製品は、吸湿により変質して性能低下を生じるため、乾燥性を有する容器に収容されて保存される。
このような乾燥性を有する容器として、筒状胴部と底部とを有する容器本体と、該容器本体の上部にヒンジ連結された蓋体とからなり、底部に乾燥剤含有プラスチックからなる挿入板がはめ込まれている容器が知られている（特許文献１参照）。
【先行技術文献】
【特許文献】
【０００３】
【特許文献１】特開平９−１２０６４号公報
【発明の概要】
【発明が解決しようとする課題】
【０００４】
しかしながら、上記のような容器に、血糖値センサに代表される板状製品を収容して保存した場合、これを取り出すとき、容器を振ったり、或いは蓋を開放した後に指を容器内に挿入することが必要であり、その取出しが極めて面倒であるという問題があった。また、容器内からの取り出しが面倒であるため、蓋を開放している時間が長くなり、この結果、乾燥剤の消耗が速くなり、血糖値センサなどの吸湿を嫌う製品を長時間保存しておくことが困難であるという問題を有しており、特に、容器に多数毎の板状製品を収容している場合には、板状製品を取り出すたびに蓋が開放され、容器内に湿分が侵入するため、乾燥材の消耗が加速し、使用されずに最後に残っている製品では、吸湿による性能低下が著しい。
【０００５】
従って、本発明の目的は、血糖値センサなどの吸湿を嫌う板状製品を収容するための容器であって、その取り出しを容易に行うことができ、しかも、乾燥性の持続性に優れ、長期間にわたって板状製品の吸湿を有効に防止することができ、特に、多数毎の板状製品が収容されている場合にも、最後まで、吸湿による性能低下を防止することが可能な容器を提供することにある。
【課題を解決するための手段】
【０００６】
本発明によれば、互いに同じ大きさを有する複数枚の板状製品が収容される筒状空間が形成されている筒状体と、該筒状空間を閉じるように設けられている蓋体とを備えた板状製品収容用容器において、
前記筒状空間は、その長手方向中央部分で仕切壁によって第１の収容空間と第２の収容空間とに仕切られており、第１の収容空間と第２の収容空間のそれぞれに前記複数の板状製品が収容され、
前記蓋体は、前記筒状体の両端部のそれぞれに設けられ、該蓋体のそれぞれが第１の収容空間或いは第２の収容空間を閉じるように構成されていると共に、
前記仕切壁の第１の収容空間側に位置する面及び第２の収容空間側に位置する面は、それぞれ、乾燥剤が分散されている樹脂により形成されている第１の吸湿面或いは第２の吸湿面となっていることを特徴とする二室型板状製品収容容器が提供される。
【０００７】
本発明の容器においては、
（１）前記第１の吸湿面或いは第２の吸湿面は、それぞれ傾斜し且つ互いに平行に延びている傾斜面となっており、複数枚の板状製品は、その一方側の端部が、それぞれ該筒状体から突出するように第１の収容空間或いは第２の収容空間に収容され、該筒状体から突出した複数の板状製品の端部が、第１の吸湿面或いは第２の吸湿面と平行な傾斜面を形成していること、
（２）前記仕切壁は、乾燥剤が分散された樹脂組成物から形成されていること、
或いは、
（３）前記仕切壁は、乾燥剤が分散されておらず且つ傾斜して延びている中心壁と、該中心壁の両面に形成され且つ乾燥剤が分散された樹脂組成物からなる吸湿層とから形成されていること、
が好ましく、また、
（４）前記蓋体のそれぞれが、筒状体の端部とヒンジ連結されており、該ヒンジ連結されている部分が、それぞれ、仕切壁に近い側に位置していること、
が好ましい。
【発明の効果】
【０００８】
本発明の容器においては、容器本体が筒状体により形成されており、この筒状体の内部空間（即ち筒状空間）が板状製品を収容する空間となるわけであるが、この筒状空間が長手方向中央部分に設けられている仕切壁によって、第１の収容空間と第２の収容空間との２室に分けられており、これら２室の何れもが密閉して閉じられるように、筒状体の両端部のそれぞれに蓋体が設けられているという基本構造を有している。
【０００９】
上記のような基本構造において、仕切壁の両面、即ち、第１の収容空間側の面及び第２の収容空間側の面の何れもが乾燥剤が分散されている樹脂（以下、吸湿性樹脂と呼ぶ）からなる吸湿面となっており、しかも、この吸湿面の何れもが傾斜面となっており、第１の収容空間及び第２の収容空間に収容される複数枚の板状製品は、それぞれ、束状にこの傾斜面上に支持されて収容されるようになっている。このようにして第１及び第２の収容空間に収容されている板状製品の束は、その先端が第１或いは第２の収容空間の開口部から突出し、且つ仕切壁の傾斜面と平行な傾斜面を形成している。従って、第１及び第２の収容空間の何れに収容されている板状製品についても、その先端の傾斜面から、板状製品を一枚ずつ引き抜くことにより容易に取り出せるのである。
【００１０】
また、上記のような仕切壁の傾斜面が吸湿面となっているため、水平面が吸湿面となっている場合と比較すると、吸湿面が大面積となっており、この結果、高い吸湿作用を示し、高い乾燥能力を示す。しかも、第１の収容空間及び第２の収容空間の何れに収容されている板状製品についても、蓋体を開封して取り出す作業を容易に行うことができるため、板状製品を取り出すために蓋体を開放している時間が短縮され、この結果、乾燥剤の消耗が効果的に抑制され、高い乾燥能力を持続して維持することができる。
【００１１】
さらに、本発明においては、板状製品を収容する筒状空間が仕切壁によって第１の収容空間と第２の収容空間との二室に分割されており、第１の収容空間での板状製品の取出しと第２の収容空間での板状製品の取り出しとが独立して行われる。即ち、第１の収容空間について蓋体を開放して板状製品の取り出しを行った場合、第２の収容空間は蓋体で密封されているため、このときに第２の収容空間が大気と接触して湿分が第２の収容空間に流入することはなく、従って、第１の収容空間についての蓋体の開放は、第２の収容空間での吸湿面を形成している乾燥剤を消耗させることがない。このことは、第２の収容空間について、蓋体を開放して板状製品の取り出しを行った場合も同様であり、このときに第１の収容空間での吸湿面を形成している乾燥剤を消耗させることがない。このことから理解されるように、本発明の容器では、多数の板状製品の取り出しを行った場合においても、乾燥剤の消耗を半減することができるのである。
【００１２】
具体的に説明すると、例えば１つの収容空間に４０枚の板状製品が収容されている場合には、最後に板状製品が取り出されるときには、蓋体の開放は４０回行われていることとなる。一方、本発明では、収容空間が２つに分割されているため、４０枚の板状製品は、２０枚ずつにわけて収容されており、最後に板状製品が取り出されるとき、この製品が収容されている空間についての蓋体の開放回数は２０回であり、上記の半数である。即ち、本発明では、蓋体の開放による乾燥剤の消耗が半減されており、この結果、最後に残る一枚の板状製品についても良好に吸湿による乾燥が行われることとなり、従って、多数毎の板状製品を収容する場合においても、最後の一枚まで、吸湿による性能低下を有効に防止することができるのである。
【００１３】
このように、本発明の容器は、優れた吸湿作用が持続して長期間にわたって発揮され、吸湿を嫌う血糖値センサなどの板状製品が多数収容されている場合においても、吸湿による性能低下を効果的に防止することができる。
【図面の簡単な説明】
【００１４】
【図１】本発明の容器の側断面を、蓋体を開放し且つ板状製品を収容した状態で示す図である。
【図２】図１の容器の一方側の端部を、蓋体を開放した状態で上方からみた平面図である。
【図３】図１の容器の蓋体を開放した状態での側面図である。
【図４】図１の容器の蓋体を閉じた状態での側面図である。
【図５】本発明の容器の他の例の側断面を、蓋体を開放し且つ板状製品を収容した状態で示す図である。
【図６】本発明の容器における仕切壁の他の例を示す側断面図である。
【発明を実施するための形態】
【００１５】
本発明の容器の好適例を示す図１乃至図４を参照して、この容器は、大まかに言って、筒状体１と、筒状体１の両端部のそれぞれにヒンジ連結された蓋体３，３とからなっており、筒状体１の内部の筒状空間が、その長手方向中央部に設けられている仕切壁５によって、第１の収容空間Ａと第２の収容空間Ｂとに分割された二室構造を有しており、第１及び第２の収容空間Ａ，Ｂのそれぞれに、５０で示す板状製品が収容されるように構成されている。
【００１６】
筒状体１の両端面には、それぞれ、蓋体３を閉じた状態で係止するための周状突起７が形成されている。
【００１７】
また、筒状体１の両端にヒンジ連結されている蓋体３，３は、全く同じ構造を有しており、それぞれ、頂板部１０と、頂板部１０の周縁から延びているスカート１１とを備えており、スカート１１は、図２に示されているように、中央バンド１３と、その周方向両側に位置する２つの補助バンド１５，１５により、筒状体１の端部にヒンジ連結されており、蓋体３を旋回して閉じることにより、第１の収容空間Ａ及び第２の収容空間Ｂが閉じられ、各収容空間Ａ，Ｂに収容された板状製品５０が密封されて保持されるようになっている。尚、中央バンド１３は、筒状体１の端部に接合されており、補助バンド１５，１５は、中央バンド１３よりも筒状体１の長手方向中央部側に偏った位置で、筒状体１の外面に連結されている。このようなバンドによってヒンジ連結することにより、蓋体３を開けたときに、開放状態が安定に保持される。
【００１８】
また、スカート１１の開放側端部（頂板部とは反対側の端部）の内面には、凹部１７が周状に形成されており、蓋体３を閉じた時に、この凹部１７が筒状体１の周状突起７と係合することにより、蓋体３が閉じられた状態で安定に保持される。
【００１９】
さらに、スカート１１のヒンジ連結部とは反対側の部分（筒状体１とは反対側に位置する部分）には、開封用の鍔１９が形成されており、この鍔１９の裏面には、偏平状の凸部２０が形成されている。図３に示されているように、蓋体３が閉じられている状態では、この鍔１９の裏面の凸部２０に指を引っ掛け、蓋体３を上方に引き上げることにより、蓋体３を容易に開放することができる。
【００２０】
特に図１を参照して、上述した構造を有する本発明の容器においては、筒状体１、蓋体３及びヒンジ連結部（バンド１３，１５）は、例えば、低−、中−または高密度ポリエチレン、線状低密度ポリエチレン、ポリプロピレン、熱可塑性ポリエステル、ポリアミド、スチレン系樹脂、ＡＢＳ樹脂等の熱可塑性樹脂により形成されており、この樹脂中には、乾燥剤は配合されていない。一方、第１の収容空間Ａと第２の収容空間Ｂとを区画している仕切壁５は、上記の熱可塑性樹脂（好ましくは、筒状体１の形成に用いるものと同一の熱可塑性樹脂）に乾燥剤を分散した樹脂組成物（吸湿性樹脂と呼ぶ）により形成されており、従って、仕切壁５の第１の収容空間Ａ側の面５ａ及び第２の収容空間Ｂ側の面５ｂは、何れも吸湿面となっており、これらの吸湿面５ａ，５ｂにより、第１の収容空間Ａ及び第２の収容空間Ｂでの吸湿が行われるようになっている。
【００２１】
上記のような吸湿性樹脂において、乾燥剤としては、例えばシリカゲル、各種のゼオライト、スメクタイトなどの粘土鉱物を酸処理して多孔質化し且つ比表面積を増大した活性白土、活性炭などの多孔質無機粉末などが使用され、通常、このような乾燥剤は、樹脂１００重量部当り４０乃至６０重量部程度の量で分散されている。
【００２２】
尚、上記のような吸湿性樹脂からなる仕切壁５の厚みは、この仕切壁５内に分散されている乾燥剤の量や第１及び第２の収容空間Ａ，Ｂの容積に応じて、適度な吸湿作用が発現される程度に設定される。
【００２３】
本発明においては、上記のような仕切壁５は、傾斜していることが重要であり、従って、第１の収容空間Ａ側の吸湿面５ａ及び第２の収容空間Ｂ側の吸湿面５ｂは、互いに平行であり且つ何れも筒状体１の内面に対して傾斜した傾斜面となっている。即ち、本発明では、第１の収容空間Ａでの吸湿と第２の収容空間Ｂでの吸湿とが完全に分離して行われ、それぞれの収容空間Ａ，Ｂについて、蓋体３によって密封状態に保持されている板状製品５０が乾燥状態に保持され、板状製品５０の吸湿が防止される。
【００２４】
上記のような構造によれば、仕切壁５が水平状態（筒状体１の内面に対して直角に延びている状態）に保持され、吸湿面５ａ，５ｂが水平面となっている場合と比較すると、各吸湿面５ａ，５ｂが大面積化しており、従って、吸湿性（乾燥能力）が増大していることが理解されよう。
【００２５】
また、本発明においては、上記のような仕切壁５の吸湿面５ａ，５ｂのそれぞれに、多数の板状製品５０、即ち、板状製品５０の束が立設して収容されるが、図１及び図３から理解されるように、第１の収容空間Ａ及び第２の収容空間Ｂの何れに収容されている板状製品５０の束も、その先端部が各収容空間Ａ，Ｂの開口部（図１において３０で示す）から突出していることが重要である。即ち、このような板状製品５０の先端は、それぞれ、各収容空間Ａ，Ｂの開口部３０から突出し、且つ傾斜している吸湿面５ａ，５ｂと平行な傾斜面５１を形成している。このため、各収容空間Ａ，Ｂを閉じている蓋体３を開封したとき、指を収容空間Ａ，Ｂ内に入れることなく、何れの場合も、最も突出している板状製品５０を容易に引き出すことができ、１枚の板状製品５０を取り出した後は、直ちに蓋体３を閉じることにより、残りの板状製品５０は、再び密封状態に保持され、吸湿面５ａ，５ｂからの吸湿により、乾燥状態に保持されることとなる。
【００２６】
即ち、本発明では、各収容空間Ａ，Ｂに収容されている板状製品５０を容易に取り出すことができるため、板状製品５０の取り出しのために蓋体３を開放している時間を短くすることができ、吸湿面５ａ，５ｂからの吸湿作用を長期にわたって発現させることが可能となる。即ち、蓋体３を開放していると、外部から湿分を含む大気が容器内に入り込むため、蓋体３を開放している時間が長くなるほど、仕切壁５内に分散されている乾燥剤が吸湿して消耗してしまうが、本発明では、蓋体３の開放時間が短縮されているため、長期にわたって吸湿面５ａ，５ｂからの吸湿が効果的に行われ、板状製品５０の取り出し操作を繰り返し行った場合にも、収容されている板状製品５０を長期間にわたって乾燥状態に維持することが可能となる。
【００２７】
さらに、本発明では、板状製品５０が収容される第１の収容空間Ａと第２の収容空間Ｂとが、吸湿面５ａ，５ｂを有する仕切壁５によって完全に分離されているため、第１の収容空間Ａでの板状製品５０の取出しに際しての蓋体３の開放によっては、第２の収容空間Ｂ側の吸湿面５ｂで乾燥剤の消耗が生じることがない。即ち、第１の収容空間Ａ内に湿分を含む大気が流入したとしても、第２の収容空間Ｂでの吸湿面５ｂからの吸湿は作用しない。同様に、第２の収容空間Ｂ内の板状製品５０を取り出すために蓋体３を開放した場合にも、第１の収容空間Ａでの吸湿面５ａを形成している乾燥剤を消耗させることがない。これは、本発明の容器の最大の利点である。
【００２８】
即ち、本発明においては、第１の収容空間Ａ及び第２の収容空間Ｂのそれぞれに２０枚の板状製品５０が収容されている場合、何れの収容空間Ａ，Ｂで最後に残されている板状製品５０を取り出すときにも、蓋体３の開放回数は２０回であり、同一の収容空間に４０枚の板状製品５０が収容されている場合と比較すると、蓋体３の開放回数は半分でよい。即ち、本発明では、蓋体３の開放による乾燥剤の消耗が半減されており、この結果、最後に残る一枚の板状製品５０についても良好に吸湿による乾燥が行われ、極めて多数枚の板状製品５０を収容する場合においても、最後の一枚まで、吸湿による性能低下を有効に防止することができる。
【００２９】
本発明において、上述した吸湿面５ａ，５ｂの角度θ（板状製品５０の束の上端が形成する傾斜面５１の傾斜角θに相当）は、収容されている板状製品５０の束の先端の全体が開口部３０から適度な高さで突出し、当該板状製品５０を一枚ずつ容易に引き出せるような大きさであればよい。その具体的な値は、板状製品５０の厚みや各収容空間Ａ，Ｂ内に収容する板状製品５０の最大枚数などによっても異なり、一概に規定することはできないが、例えば一般に使用されている血糖値センサなどを板状製品として収容する場合には、通常、１５乃至４５度程度の角度とするのがよい。
【００３０】
また、図１及び図３から理解されるように、蓋体３を閉じたとき、蓋体３の鍔１９が、板状製品５０の束の最も突出量が小さい側に位置するように、蓋体３のヒンジ連結部（中央バンド１３等）の位置が設定されていることが好ましい。即ち、第１の収容空間Ａを閉じている蓋体３のヒンジ連結部及び第２の収容空間Ｂを閉じている蓋体３のヒンジ連結部のそれぞれが、仕切壁５に近い側に位置していることが好ましい。ヒンジ連結部が反対側に位置していると、蓋体３を閉じるときに、各収容空間Ａ，Ｂから突出している板状製品５０の先端部分が邪魔となり、蓋体３を完全に閉じることが困難となってしまうおそれがあるからである。
【００３１】
尚、上記のような構造の容器は、吸湿性樹脂を用いての射出成形により仕切壁５を形成した後、この仕切壁５を型内に配置しての射出成形によって筒状胴体１と蓋体３とを一体的に成形するという２色成形により、製造することができる。
【００３２】
さらに、本発明では、仕切壁５に加えて、筒状体１の内面も前述した吸湿性樹脂により形成することができる。このような容器の構造は、図５に示されている。
【００３３】
即ち、図５の容器では、仕切壁５と一体的に筒状体１の内面が、吸湿性樹脂により形成されており、筒状体１の内面全体が、吸湿性樹脂により形成されて吸湿面５ａ、５ｂとなっている。このような構造とすることにより、吸湿作用を最大限とすることができる。
尚、図５の容器は、上記のように吸湿面５ａ，５ｂが形成されている以外は、前述した図１乃至図４の容器と全く同じ構造を有している。
【００３４】
また、本発明においては、仕切壁５の全体を吸湿性樹脂により形成せず、仕切壁５の表面のみを吸湿性樹脂により形成することもできる。このような仕切壁５の断面構造は図６に示されている。
【００３５】
即ち、図６においては、仕切壁５は、乾燥剤が配合されておらず、前述した筒状体１及び蓋体３を形成されている樹脂から一体的に形成されている中心壁４０と、その両面に形成された吸湿性樹脂層４１，４１（即ち、前述した乾燥剤が配合された樹脂からなる層）とから形成されており、吸湿性樹脂層４１の表面が、吸湿面５ａ，５ｂとなっている。このような態様においては、吸湿面５ａと５ｂとが、中心壁４０によって完全に分離されているため、第１の収容空間Ａ側での蓋体３の開放は、第２の収容空間Ｂ側の吸湿面５ｂでの吸湿性に全く影響を及ぼさず、同様に、第２の収容空間Ｂ側での蓋体３の開放は、第１の収容空間Ａ側の吸湿面５ａでの吸湿性に全く影響を及ぼさない。従って、各収容空間Ａ，Ｂでの吸湿性を持続して維持させるという点で最も好適である。
【００３６】
尚、図６のような構造の仕切壁５を有する容器は、吸湿性樹脂層４１を射出成形により形成したのち、これを型内に配置し、上記の中心壁４０、筒状体１及び蓋体３を射出成形により一体に形成するという２色成形により、中心壁４０の両面のそれぞれに、吸湿性樹脂層４１を形成することによって製造される。
この場合、吸湿性樹脂層４１に対応する形状を有する吸湿性樹脂の板を押出成形等により形成し、この板を中心壁４０の両面のそれぞれに、嵌め込むことにより、吸湿性樹脂層４１を中心壁４０上に形成することも可能である。
【００３７】
また、図６のような構造の仕切壁５を用いる場合においても、図５と同様、筒状体１の内面に吸湿性樹脂層を形成し、筒状体１の内面全体を吸湿面５ａ，５ｂとすることも可能である。
【００３８】
さらに、図示されていないが、上述した図１乃至図６の容器では、蓋体３の頂板部の内面を、蓋体３を閉じたときに、板状製品５０の束の上端が形成する傾斜面５１に沿った傾斜面となるようにすることもできる。この場合には、蓋体３を閉じた時のヘッドスペースを最小とすることができ、この容器の吸湿能を最大限に発揮させることができる。また、この場合には、蓋体３の外面形状を、蓋体３の内面形状に対応した傾斜形状とすることが好ましく、これにより、蓋体３を肉厚とせず、樹脂量を低減させ、コストの低減を図ることができる。
【００３９】
上述した本発明の容器は、板状製品の取り出しを容易に行うことができるばかりか、その吸湿能が極めて高く、且つ乾燥剤の消耗を効果的に防止し、高い吸湿能を長期間にわたって安定に発揮させることができ、特に多数枚の板状製品を収容する場合においても、最後の一枚の板状製品を取り出すまで良好な吸湿性を維持し、板状製品を乾燥状態に保つことができる。従って、本発明の容器は、血糖値センサや尿試験紙などの湿分を嫌う板状製品の収容に有効に適用される。
【符号の説明】
【００４０】
１：筒状体
３：蓋体
５：仕切壁
５ａ，５ｂ：吸湿面
５０：板状製品
Ａ：第１の収容空間
Ｂ：第２の収容空間
【図１】
2010173675.tif 000003
【図２】
2010173675.tif 000004
【図３】
2010173675.tif 000005
【図４】
2010173675.tif 000006
【図５】
2010173675.tif 000007
【図６】
2010173675.tif 000008